(57)【要約】  【構成】γ補正回路５２は、イメージセンサ４８によって捉えられた被写界像の再現性を互いに異なる態様で補正する６個のγ補正特性を保持する。カメラＣＰＵ６０は、イメージセンサ４８によって捉えられた被写界像のコントラストに基づいて、６個のγ補正特性の中から３個のγ補正特性を選択する。文字は、カメラＣＰＵ６０によって選択された３個のγ補正特性の各々によって補正された再現性を有する被写界像から、カメラＣＰＵ６０によって認識される。カメラＣＰＵ６０によって認識された３個の文字は、ＬＣＤ３６に表示される。文字選択操作は、カメラＣＰＵ６０によって受け付けられる。ＬＣＤ３６に表示された３個の文字のうち文字選択操作に従う１つの文字はフラッシュメモリ４２に保存される。  【効果】  被写界に現れた文字と同じ文字を簡単な処理で作成することができる。【選択図】  図３
2007011738.tif 000002
【特許請求の範囲】
【請求項１】
被写界を捉える撮像手段、
前記撮像手段によって捉えられた被写界像の再現性を互いに異なる態様で補正するＭ個（Ｍ：３以上の整数）の補正特性を保持する保持手段、
前記撮像手段によって捉えられた被写界像のコントラストに基づいて前記Ｍ個の補正特性の中からＮ個（Ｎ：２以上Ｍ個未満の整数）の補正特性を選択する選択手段、
前記選択手段によって選択されたＮ個の補正特性の各々によって補正された再現性を有する被写界像から文字を認識する認識手段、
前記認識手段によって認識されたＮ個の文字を表示する表示手段、
前記表示手段の表示処理に関連して文字選択操作を受け付ける受付手段、および
前記表示手段によって表示されたＮ個の文字のうち前記文字選択操作に従う１つの文字を保存する保存手段を備える、文字処理装置。
【請求項２】
前記保持手段は各々が前記Ｎ個の補正特性を有するように前記Ｍ個の補正特性を複数のグループに分割し、
前記選択手段は前記複数のグループのいずれか１つから前記Ｎ個の補正特徴を選択する、請求項１記載の文字処理装置。
【請求項３】
前記選択手段は文字認識操作に応答して選択処理を実行する、請求項１または２記載の文字処理装置。
【請求項４】
請求項１ないし３のいずれかに記載の文字処理装置を備える、携帯端末。
【請求項５】
被写界を捉える撮像手段、および前記撮像手段によって捉えられた被写界像の再現性を互いに異なる態様で補正するＭ個（Ｍ：３以上の整数）の補正特性を保持する保持手段を備える文字処理装置のプロセサに、
前記撮像手段によって捉えられた被写界像のコントラストに基づいて前記Ｍ個の補正特性の中からＮ個（Ｎ：２以上Ｍ個未満の整数）の補正特性を選択する選択ステップ、
前記選択手段によって選択されたＮ個の補正特性の各々によって補正された再現性を有する被写界像から文字を認識する認識ステップ、
前記認識手段によって認識されたＮ個の文字を表示する表示ステップ、
前記表示手段の表示処理に関連して文字選択操作を受け付ける受付ステップ、および
前記表示手段によって表示されたＮ個の文字のうち前記文字選択操作に従う１つの文字を保存する保存ステップを実行させる、文字処理プログラム。
【発明の詳細な説明】
【技術分野】
【０００１】
この発明は、文字処理装置に関し、特にたとえば、撮影された被写界に現れた文字を認識する、文字処理装置に関する。
【背景技術】
【０００２】
従来のこの種の装置の一例が、特許文献１に開示されている。この従来技術は、読み取られた画像データに対してコントラストを最適化した濃度補正を行おうとするものである。これによって、ＯＣＲの認識率を向上させることができる。
【特許文献１】特許公開２００３−５１９４４号公報[H04N 1/407,1/46,1/60,G06T 1/00,5/00]
【発明の開示】
【発明が解決しようとする課題】
【０００３】
しかし、従来技術では、被写体の文字と同じ文字を装置が独力で作成することを想定しているため、厳密な濃度補正が必要となる。
【０００４】
それゆえに、この発明の主たる目的は、被写界に現れた文字と同じ文字を簡単な処理で作成することができる、文字処理装置を提供することである。
【課題を解決するための手段】
【０００５】
請求項１の発明に従う文字処理装置(28)は、被写界を捉える撮像手段(48)、撮像手段によって捉えられた被写界像の再現性を互いに異なる態様で補正するＭ個（Ｍ：３以上の整数）の補正特性を保持する保持手段(52b~52g)、撮像手段によって捉えられた被写界像のコントラストに基づいてＭ個の補正特性の中からＮ個（Ｎ：２以上Ｍ個未満の整数）の補正特性を選択する選択手段(S5)、選択手段によって選択されたＮ個の補正特性の各々によって補正された再現性を有する被写界像から文字を認識する認識手段(S9)、認識手段によって認識されたＮ個の文字を表示する表示手段(S15)、表示手段の表示処理に関連して文字選択操作を受け付ける受付手段(S17)、および表示手段によって表示されたＮ個の文字のうち前記文字選択操作に従う１つの文字を保存する保存手段(S19)を備える。
【０００６】
被写界は、撮像手段によって捉えられる。保持手段は、撮像手段によって捉えられた被写界像の再現性を互いに異なる態様で補正するＭ個の補正特性を保持する。選択手段は、撮像手段によって捉えられた被写界像のコントラストに基づいて、Ｍ個の補正特性の中からＮ個の補正特性を選択する。
【０００７】
文字は、選択手段によって選択されたＮ個の補正特性の各々によって補正された再現性を有する被写界像から、認識手段によって認識される。認識手段によって認識されたＮ個の文字は、表示手段によって表示される。文字選択操作は、表示手段の表示処理に関して、受付手段によって表示される。保存手段は、表示手段によって表示されたＮ個の文字のうち文字選択操作に従う１つの文字を保存する。
【０００８】
このように、文字認識を施される被写界像の再現性を補正する補正特性は、被写界像のコントラストに基づいて選択される。この結果、認識精度が向上する。さらに、選択される補正特性の数は、保持手段によって保持された補正特性の数よりも小さい。この結果、的外れな認識処理が排除される。さらに、文字認識のために選択される補正特性の数は２以上であり、認識された２以上の文字のいずれか１つが文字選択操作によって選択される。この結果、いずれの文字を最終的に選択するかが操作者の操作に委ねられる。
【０００９】
これによって、被写界に現れた文字と同じ文字を簡単な処理で作成することができる。
【００１０】
請求項２の発明に従う文字処理装置は、請求項１に従属し、保持手段は各々がＮ個の補正特性を有するようにＭ個の補正特性を複数のグループに分割し、選択手段は複数のグループのいずれか１つからＮ個の補正特徴を選択する。
【００１１】
請求項３の発明に従う文字処理装置は、請求項１または２に従属し、選択手段は文字認識操作に応答して選択処理を実行する。
【００１２】
請求項４の発明に従う携帯端末(10)は、請求項１ないし３のいずれかに記載の文字処理装置を備える。
【００１３】
請求項５の発明に従う文字処理プログラムは、被写界を捉える撮像手段、および撮像手段によって捉えられた被写界像の再現性を互いに異なる態様で補正するＭ個（Ｍ：３以上の整数）の補正特性を保持する保持手段(52b~52g)を備える文字処理装置(10)のプロセサ(60)に、撮像手段によって捉えられた被写界像のコントラストに基づいてＭ個の補正特性の中からＮ個（Ｎ：２以上Ｍ個未満の整数）の補正特性を選択する選択ステップ(S5)、選択手段によって選択されたＮ個の補正特性の各々によって補正された再現性を有する被写界像から文字を認識する認識ステップ(S9)、認識手段によって認識されたＮ個の文字を表示する表示ステップ(S15)、表示手段の表示処理に関連して文字選択操作を受け付ける受付ステップ(S17)、および表示手段によって表示されたＮ個の文字のうち文字選択操作に従う１つの文字を保存する保存ステップ(S19)を実行させる。
【発明の効果】
【００１４】
この発明によれば、文字認識を施される被写界像の再現性を補正する補正特性は、被写界像のコントラストに基づいて選択される。この結果、認識精度が向上する。さらに、選択される補正特性の数は、保持手段によって保持された補正特性の数よりも小さい。この結果、的外れな認識処理が排除される。さらに、文字認識のために選択される補正特性の数は２以上であり、認識された２以上の文字のいずれか１つが文字選択操作によって選択される。この結果、いずれの文字を最終的に選択するかが操作者の操作に委ねられる。これによって、被写界に現れた文字と同じ文字を簡単な処理で作成することができる。
【００１５】
この発明の上述の目的，その他の目的，特徴および利点は、図面を参照して行う以下の実施例の詳細な説明から一層明らかとなろう。
【発明を実施するための最良の形態】
【００１６】
図１を参照して、この実施例の携帯端末１０は、操作キー２６を含む。操作キー２６によって通話のための発話操作が行われると、メインＣＰＵ３０は、信号処理回路１６，無線回路１４およびアンテナ１２を通して、発話信号を図示しない相手方の携帯端末に送信する。これに対して、相手方が着話操作を行うと、通話可能状態となる。
【００１７】
通話可能状態となった後にマイクロフォン２４に音声が入力されると、この音声は、マイクロフォン２０によってアナログ信号である音声信号に変換される。変換された音声信号は、アンプ２２によって増幅され、ＡＤ／ＤＡ変換回路１８によってディジタル信号である音声データに変換される。変換された音声データは、信号処理回路１６によって符号化処理を施され、さらに無線回路１４によって変調処理を施される。無線回路１４によって生成された変調音声データは、アンテナ１２から発信される。
【００１８】
一方、相手方から送られてきた変調音声データは、アンテナ１２によって受信され、無線回路１４によって復調処理を施されるとともに、信号処理回路１６によって複合処理を施される。信号処理回路１６によって複合された音声データは、ＡＤ／ＤＡ変換回路１８によってアナログ音声信号に変換され、変換された音声信号は、アンプ２４を介してスピーカ２６から出力される。
【００１９】
このようにして相手方との間で通話が行われている最中に、操作キー２６によって通話終了操作が行われると、メインＣＰＵ３０は、信号処理回路１６および無線回路１４を制御して、相手方に通話終了信号を送信する。通話終了信号の送信後、メインＣＰＵ３０は、通話処理を終了する。先に相手方から通話終了信号を受信した場合も、メインＣＰＵ３０は、通話処理を終了する。
【００２０】
通話が行われていない状態で、操作キー２６によって文字認識機能が有効化されると、カメラユニット２８およびメインＣＰＵ３０によってスルー画像出力処理が実行される。カメラユニット２８はまず、被写界像を撮影し、撮影された被写界像に対応する生画像データを３０ｆｐｓのフレームレートで生成し、生成された各フレームの生画像データにγ補正処理を含む信号処理を施す。これによって得られた各フレームの画像データは、メインＣＰＵ３０に出力される。メインＣＰＵ３０は、カメラユニット２８から出力された画像データを３０ｆｐｓのフレームレートでＶＲＡＭ３２に書き込まれる。ＶＲＡＭ３２に書き込まれた画像データはＬＣＤドライバ３４によって読み出され、この結果、被写界像のリアルタイム動画像（スルー画像）がＬＣＤ３６に表示される。
【００２１】
操作キー２６に設けられた図示しないボタンにより文字認識開始操作が行われると、カメラユニット２８およびメインＣＰＵ３０によって文字認識処理が実行される。カメラユニット２８は、γ補正処理を施された画像データに２値化処理を行い、テキストコード表を参照して、２値化データによって表現された文字に近似する文字を検出する。なお、テキストコード表はフラッシュメモリ６２に格納される。また、このテキストコード表とは、文字コードとビットマップ状の文字との対照表である。
【００２２】
メインＣＰＵ３０は、検出された文字を表すビットマップデータをＶＲＡＭ３２に描画する。ＬＣＤドライバ３４は、ＶＲＡＭ３２からビットマップデータを読み出し、これに対応する文字をＬＣＤ３６に表示する。こうして、被写界に現れた文字と同じ（または近似する）文字がＬＣＤ３６に表示される。
【００２３】
このような文字認識処理および文字表示処理は、文字認識終了操作が行われるまで、互いに異なるγ補正曲線を用いて複数回にわたって実行される。ＬＣＤ３６には、複数の文字が表示される。
【００２４】
ＬＣＤ３６に表示された複数の文字の中から操作者が所望の文字を１つ選択する操作つまり文字選択操作が行われると、メインＣＰＵ３０は操作者によって選択された文字に対応する文字コードをテキストコード表から読み出し、読み出された文字コードをフラッシュメモリ４２に保存する。
【００２５】
図２によれば、ＬＣＤ３６には、ピクトエリア３６ａ，プレビューエリア３６ｂ，認識結果エリア３６ｃおよびキー操作機能エリア３６ｄが形成される。ＬＣＤドライバ３４は、メインＣＰＵ３０より発行される命令に基づいてＶＲＡＭ３２に描画されたビットマップデータをＬＣＤ３６に出力する。スルー画像出力処理中、プレビューエリア３６ｂにスルー画像が表示される。文字認識処理中、プレビューエリア３６ｂにスルー画像が表示され、認識結果エリア３６ｃに文字が表示される。編集用画面の表示処理中、認識結果エリア３６ｃに複数の文字が表示される。
【００２６】
カメラユニット２８は、詳しくは図３に示すように構成される。被写界の光学像は、光学レンズ４６を介してイメージセンサ４８の撮像面に照射される。撮像面では、光電変換によって被写界の光学像に対応する電荷つまり生画像信号が生成される。カメラＣＰＵ６０は、プリ露光および間引き読み出しの繰り返しをタイミングジェネレータ（ＴＧ）５８に命令する。
【００２７】
ＴＧ５８は、イメージセンサ４８のプリ露光と、これによって生成された画像信号の間引き読み出しとを繰り返し実行する。ＴＧ５８はまた、画素クロック，水平同期信号Ｈｓｙｎｃおよび垂直同期信号Ｖｓｙｎｃを含む複数のタイミング信号を発生する。ドライバ５６は、かかるタイミング信号に応答してイメージセンサ４８を駆動する。この結果、垂直同期信号Ｖｓｙｎｃは１／３０秒毎に発生し、画像信号は１／３０秒に１フレームの割合でイメージセンサ４８から出力される。
【００２８】
出力された生画像信号は、ＣＤＳ／ＡＧＣ／ＡＤ回路５０によってノイズ除去，レベル調整およびＡ／Ｄ変換の一連の処理を施され、これによってディジタル信号である生画像データが得られる。γ補正回路５２は、ＣＤＳ／ＡＧＣ／ＡＤ回路５０から出力された生画像データにγ補正処理を施し、カメラ信号処理回路５４は、γ補正回路５２から出力されたγ補正画像データに白バランス調整，色分離，ＹＵＶ変換などの処理を施し、ＹＵＶ形式の画像データを生成する。生成された画像データはメモリコントローラ６６によってＳＤＲＡＭ６８に書き込まれる。カメラＣＰＵ６０は、ＳＤＲＡＭ６８に書き込まれた画像データを読み出し、この画像データに上述で示した文字認識処理を施す。これによって得られた文字コードは、再びメモリコントローラ６６によってＳＤＲＡＭ６８に書き込まれる。メモリコントローラ６６はまた、ＳＤＲＡＭ６８に書き込まれた文字コードを読み出し、Ｉ／Ｆ７０に向けて出力される。こうして、カメラユニット２８で生成された文字コードがメインＣＰＵ３０に出力される。
【００２９】
γ補正回路５２は、詳しくは図４に示すように構成される。クランプ回路５２ａは、ＣＤＳ／ＡＧＣ／ＡＤ回路５０から出力された生画像データにクランプ処理を施し、クランプ処理が施された生画像データをスイッチＳＷ１に向けて出力する。
【００３０】
カメラＣＰＵ６０は、ＳＤＲＡＭ６８に格納された画像データのコントラストが閾値よりも大きいか否か判別し、この判別結果に従ってγ補正回路５２に切り換え命令を発行する。スイッチＳＷ１は、コントラストが閾値よりも大きければ端子Ｔ１に接続され、コントラストが閾値以下であれば端子Ｔ２に接続される。つまり、スイッチＳＷ１の接続先は画像データのコントラストの大きさに基づいて変更される。これによって、文字認識処理にかかる時間が短縮される。
【００３１】
γ補正回路５２に形成された６つのＬＵＴ５２ｂ〜５２ｇは、２値化処理グループ（ＧＲＰ１）およびリニア処理グループ（ＧＲＰ２）の２つのグループに分けられる。ＧＲＰ１はＬＵＴ５２ｂ，ＬＵＴ５２ｃおよびＬＵＴ５２ｄによって構成され、ＧＲＰ２はＬＵＴ５２ｅ，ＬＵＴ５２ｆおよびＬＵＴ５２ｇによって構成される。
【００３２】
クランプ回路５２ａから出力された生画像データがＬＵＴ５２ｂに与えられると、ＬＵＴ５２ｂは図５（Ａ）に示すγ曲線に従って補正された生画像データを端子Ｔ３に向けて出力する。こうして、強度の２値化処理を施されたγ補正画像データがＬＵＴ５２ｂから出力される。
【００３３】
クランプ回路５２ａから出力された生画像データがＬＵＴ５２ｃに与えられると、ＬＵＴ５２ｃは図５（Ｂ）に示すγ曲線に従って補正された生画像データを端子Ｔ４に向けて出力する。こうして、中度の２値化処理を施されたγ補正画像データがＬＵＴ５２ｃから出力される。
【００３４】
クランプ回路５２ａから出力された生画像データがＬＵＴ５２ｄに与えられると、ＬＵＴ５２ｄは図５（Ｃ）に示すγ曲線に従って補正された生画像データを端子Ｔ５向けて出力する。こうして、弱度の２値化処理を施されたγ補正画像データがＬＵＴ５２ｄから出力される。
【００３５】
クランプ回路５２ａから出力された生画像データがＬＵＴ５２ｅに与えられると、ＬＵＴ５２ｅは図６（Ａ）に示すγ曲線に従って補正された生画像データを端子Ｔ６に向けて出力する。こうして、強度のリニア処理を施されたγ補正画像データがＬＵＴ５２ｅから出力される。
【００３６】
クランプ回路５２ａから出力された生画像データがＬＵＴ５２ｆに与えられると、ＬＵＴ５２ｆは図６（Ｂ）に示すγ曲線に従って補正された生画像データを端子Ｔ７に向けて出力する。こうして、中度のリニア処理を施されたγ補正画像データがＬＵＴ５２ｆから出力される。
【００３７】
クランプ回路５２ａから出力された生画像データがＬＵＴ５２ｆに与えられると、ＬＵＴ５２ｆは図６（Ｃ）に示すγ曲線に従って補正された生画像データを端子Ｔ８に向けて出力する。こうして、弱度のリニア処理を施されたγ補正画像データがＬＵＴ５２ｇから出力される。
【００３８】
図４に戻って、カメラＣＰＵ６０は、スイッチＳＷ２およびＳＷ３を同時に切り換える命令をγ補正回路５２に発行し、この切り換え命令に従ってＳＤＲＡＭ６８に形成された第１エリア６８ａ，第２エリア６８ｂおよび第３エリア６８ｃ（図７参照）への書き込み先切り換え命令をメモリコントローラ６６に発行する。
【００３９】
具体的には、スイッチＳＷ２およびＳＷ３は、端子Ｔ３およびＴ６にそれぞれ接続される。コントローラ６６は、カメラ信号処理回路５４より与えられた画像データを第１エリア６８ａに書き込み、第１エリア６８ａに書き込まれた画像データを読み出す。カメラＣＰＵ６０は、これによって得られた画像データを文字コードに変換する。変換された文字コードは、コントローラ６６によって第１エリア６８ａに書き込まれる。
【００４０】
カメラＣＰＵ６０から切り換え命令が発行されると、スイッチＳＷ２およびＳＷ３は端子Ｔ４およびＴ７にそれぞれ接続され、コントローラ６６はカメラ信号処理回路５４より与えられた画像データを第２エリア６８ｂに書き込む。また、カメラＣＰＵ６０から切り換え命令が発行されると、スイッチＳＷ２およびＳＷ３は端子Ｔ５およびＴ８にそれぞれ接続され、コントローラ６６はカメラ信号処理回路５４より与えられた画像データを第３エリア６８ｃに書き込む。さらに、カメラＣＰＵ６０から切り換え命令が発行されると、スイッチＳＷ２およびＳＷ３は端子Ｔ３およびＴ６にそれぞれ接続され、コントローラ６６はカメラ信号処理回路５４より与えられた画像データを第１エリア６８ａに書き込む。
【００４１】
つまり、スイッチＳＷ２およびＳＷ３の接続先は文字コードがＳＤＲＡＭ６８に格納される毎に変更され、コントローラ６６はγ補正の強度が異なる３つの生画像データをＳＤＲＡＭ６８に格納する。
【００４２】
この実施例によれば、図８（Ａ）に示すような文字と背景とのコントラストの大きい被写体が撮影されるとき、文字認識処理中の文字が認識結果エリア４２ｃに表示される（図９参照）。文字認識処理が終了すると、第１エリア６８ａ，第２エリア６８ｂおよび第３エリア６８ｃに格納された文字コードに対応する文字が図１０（Ａ）に示すようにそれぞれ表示される。
【００４３】
一方、図８（Ｂ）に示すような文字と背景とのコントラストの小さい被写体が撮影されるとき、文字認識処理が終了すると、第１エリア６８ａ，第２エリア６８ｂおよび第３エリア６８ｃに格納された文字コードに対応する文字が図１０（Ｂ）に示すようにそれぞれ表示される。
【００４４】
文字認識機能が有効化されたとき、カメラＣＰＵ６０は図１１〜図１３に示すフロー図に従う処理を実行する。なお、図１１〜図１３に示すフロー図に対応する制御プログラムはフラッシュメモリ６２に記憶される。
【００４５】
図１１を参照して、ステップＳ１で初期設定を行う。具体的には、スイッチＳＷ１を端子Ｔ１に接続させる命令，スイッチＳＷ２を端子Ｔ３に接続させる命令およびスイッチＳＷ３を端子Ｔ６に接続させる命令をγ補正回路５２に発行し、カウント値Ｎを１に設定する。
【００４６】
ステップＳ３では、認識開始操作が行われるまで待機する。認識開始操作が行われると、ステップＳ５で選択処理を行う。ステップＳ７では、垂直同期信号Ｖｓｙｎｃが発生するまで待機する。垂直同期信号Ｖｓｙｎｃが発生すると、ステップＳ９で文字認識処理を行う。ステップＳ１１ではγ曲線切換処理を実行し、この処理を終えると、認識終了操作が行われたか否かをステップＳ１３で判断する。判断結果がＹＥＳであればステップＳ１５に進み、判断結果がＮＯであればステップＳ７に戻る。ステップＳ１５では、ＳＤＲＡＭ６８に格納された文字コードを認識結果エリア４２ｃに表示すべく一覧表示処理を実行する。ステップＳ１７で操作者による所望の文字が選択されると、選択完了と判断し、ステップＳ１９に進む。ステップＳ１９では、所望の文字に対応する文字コードをフラッシュメモリ４２に保存し、この処理を終える。
【００４７】
ステップＳ５の選択処理について図１２を用いて説明する。ステップＳ２１では、ＳＤＲＡＭ６８に格納された画像データのコントラストが閾値よりも大きいか否か判別する。判別結果がＹＥＳであればステップＳ２３に進み、判別結果がＮＯであればステップＳ２５に進む。ステップＳ２３では、スイッチＳＷ１を端子Ｔ１に接続させる命令をγ補正回路５２に発行し、上位ルーチンに復帰する。ステップＳ２５では、スイッチＳＷ１を端子Ｔ２に接続させる命令をγ補正回路５２に発行し、上位ルーチンに復帰する。
【００４８】
ステップＳ１１のγ曲線切換処理について図１３を用いて説明する。ステップＳ３１では、カウント値Ｎをインクリメントさせる。ステップＳ３３では、カウント値Ｎが３より大きいか否か判断する。判別結果がＹＥＳであればステップＳ３５に進み、判別結果がＮＯであればステップＳ３７に進む。ステップＳ３５では、カウント値Ｎに１を代入し、ステップＳ３７に進む。ステップＳ３７では、カウント値Ｎの値に基づいてスイッチＳＷ２およびＳＷ３を切り換える命令をγ補正回路５２に発行する。つまり、カウント値Ｎが１のとき、スイッチＳＷ２およびＳＷ３は端子Ｔ３およびＴ６にそれぞれ接続され、カウント値Ｎが２のとき、スイッチＳＷ２およびＳＷ３は端子Ｔ４およびＴ７にそれぞれ接続され、そしてカウント値Ｎが３のとき、スイッチＳＷ２およびＳＷ３は端子Ｔ５およびＴ８に接続される。
【００４９】
以上の説明からわかるように、被写界は、イメージセンサ４８によって捉えられる。ＬＵＴ５２ｂ〜５２ｇは、イメージセンサ４８によって捉えられた被写界像の再現性を互いに異なる態様で補正する６個のγ補正特性を保持する。カメラＣＰＵ６０は、イメージセンサ４８によって捉えられた被写界像のコントラストに基づいて、６個の補正特性の中から３個の補正特性を選択する。
【００５０】
文字は、カメラＣＰＵ６０によって選択された３個のγ補正特性の各々によって補正された再現性を有する被写界像から、カメラＣＰＵ６０によって認識される。カメラＣＰＵ６０によって認識された３個の文字は、ＬＣＤ３６に表示される。文字選択操作は、カメラＣＰＵ６０によって受け付けられる。ＬＣＤ３６に表示された３個の文字のうち文字選択操作に従う１つの文字がフラッシュメモリ４２に保存される。
【００５１】
このように、文字認識を施される被写界像の再現性を補正するγ補正特性は、被写界像のコントラストに基づいて選択される。この結果、認識精度が向上する。さらに、選択されるγ補正特性の数は、ＬＵＴ５２ａ〜５２ｇによって保持されたγ補正特性の数よりも小さい。この結果、的外れな認識処理が排除される。さらに、文字認識のために選択されるγ補正特性の数は２以上であり、認識された２以上の文字のいずれか１つが文字選択操作によって選択される。この結果、いずれの文字を最終的に選択するかが操作者の操作に委ねられる。
これによって、被写界に現れた文字と同じ文字を簡単な処理で作成することができる。
【００５２】
なお、この実施例では、認識処理の対象が文字であるが、これに限らず、数字，符号，アルファベットなどのキャラクタデータも認識することができる。
【００５３】
また、この実施例では、２値化処理グループはＬＵＴ５２ｂ〜５２ｄによって構成され、リニア処理グループはＬＵＴ５２ｅ〜５２ｇによって構成されるため、ＬＵＴ５２ｂ〜５２ｇの各々は２値化処理グループおよびリニア処理グループの両方に属しない。しかし、これに限らず、ＬＵＴ５２ｂ〜５２ｇのいずれか一つが２値化処理グループおよびリニア処理グループの両方のグループに属する構成を持つこともの可能である。
【図面の簡単な説明】
【００５４】
【図１】この発明の一実施例の構成を示すブロック図である。
【図２】ＬＣＤ３６の構成の一例を示す図解図である。
【図３】図１実施例に適用されるカメラユニット２８の構成を示すブロック図である。
【図４】図３実施例に適用されるγ補正回路５２の構成を示すブロック図である。
【図５】（Ａ）はＬＵＴ５２ｂの入出力態様を示す図解図であり、（Ｂ）はＬＵＴ５２ｃの入出力態様を示す図解図であり、（Ｃ）はＬＵＴ５２ｄの入出力態様を示す図解図である。
【図６】（Ａ）はＬＵＴ５２ｅの入出力態様を示す図解図であり、（Ｂ）はＬＵＴ５２ｆの入出力態様を示す図解図であり、（Ｃ）はＬＵＴ５２ｇの入出力態様を示す図解図である。
【図７】図３実施例に適用されるＳＤＲＡＭ６８のマッピングの一例を示す図解図である。
【図８】（Ａ）はプレビューエリア４２ｂの表示態様の一例を示す図解図であり、（Ｂ）はプレビューエリア４２ｂの表示態様の他の一例を示す図解図である。
【図９】図１実施例に適用されるプリビューエリア４２ｃの表示態様の一例を示す図解図である。
【図１０】（Ａ）はプレビューエリア４２ｃの表示態様の他の一例を示す図解図であり、（Ｂ）はプレビューエリア４２ｃの表示態様のその他の一例を示す図解図である。
【図１１】図１実施例に適用されるカメラＣＰＵ６０の動作の一部を示すフロー図である。
【図１２】図１実施例に適用されるカメラＣＰＵ６０の動作の他の一部を示すフロー図である。
【図１３】図１実施例に適用されるカメラＣＰＵ６０の動作のその他の一部を示すフロー図である。
【符号の説明】
【００５５】
１０  …  携帯通話装置
１２  …  アンテナ
２６  …  操作キー
２８  …  カメラユニット
３０  …  メインＣＰＵ
３６  …  ＬＣＤ
４８  …  イメージセンサ
５２  …  γ補正回路
５２ａ  …  クランプ回路
５２ｂ〜５２ｇ  …  ＬＵＴ
６０  …  カメラＣＰＵ
６８  …  ＳＤＲＡＭ
４８  …  ＵＳＢコントローラ
５０  …  ＵＳＢ端子
５２  …  ＰＣ
【図１】
2007011738.tif 000003
【図２】
2007011738.tif 000004
【図３】
2007011738.tif 000005
【図４】
2007011738.tif 000006
【図５】
2007011738.tif 000007
【図６】
2007011738.tif 000008
【図７】
2007011738.tif 000009
【図８】
2007011738.tif 000010
【図９】
2007011738.tif 000011
【図１０】
2007011738.tif 000012
【図１１】
2007011738.tif 000013
【図１２】
2007011738.tif 000014
【図１３】
2007011738.tif 000015